(57)【要約】【課題】初期化期間において電極間の相互干渉のない安定した初期化放電が可能となるプラズマディスプレイパネルの駆動方法を提供する。【解決手段】プラズマディスプレイパネルは、走査電極ＳＣ1〜ＳＣnと平行であって対応する走査電極ＳＣ1〜ＳＣnとの間でプライミング放電を発生する複数のプライミング電極ＰＲ1〜ＰＲnを有し、データ電極Ｄ1〜Ｄmが陰極となる初期化放電を発生させる前にプライミング電極ＰＲ1〜ＰＲnと走査電極ＳＣ1〜ＳＣnとの間でプライミング電極ＰＲ1〜ＰＲnが陰極となる初期化放電を発生させるための電圧をプライミング電極ＰＲ1〜ＰＲnまたは走査電極ＳＣ1〜ＳＣnのいずれかに印加したことを特徴とする。【選択図】図４
2005037820.tif 000002
【特許請求の範囲】
【請求項１】
１フィールド期間を初期化期間、書込み期間、維持期間を有する複数のサブフィールドで構成したプラズマディスプレイパネルの駆動方法であって、
プラズマディスプレイパネルは、互いに平行に配置された複数の走査電極および複数の維持電極と、前記走査電極と交差する方向に配置された複数のデータ電極と、前記走査電極と平行であって対応する走査電極との間でプライミング放電を発生する複数のプライミング電極とを有し、
前記データ電極が陰極となる初期化放電を発生させる初期化期間を有するサブフィールドにおいて前記データ電極が陰極となる初期化放電を発生させる前に、前記プライミング電極と前記走査電極との間で前記プライミング電極が陰極となる初期化放電を発生させるための電圧を前記プライミング電極または前記走査電極のいずれかに印加することを特徴とするプラズマディスプレイパネルの駆動方法。
【請求項２】
前記データ電極が陰極となる初期化放電を発生させる初期化期間を有するサブフィールドの初期化期間内に、前記プライミング電極が陰極となる初期化放電を発生させるための電圧を印加することを特徴とする請求項１に記載のプラズマディスプレイパネルの駆動方法。
【請求項３】
前記データ電極が陰極となる初期化放電を発生させる初期化期間を有するサブフィールドの１つ前のサブフィールドの維持期間内に、前記プライミング電極が陰極となる初期化放電を発生させるための電圧を印加することを特徴とする請求項１に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、ＰＤＰあるいはパネルと略記する）は、大画面、薄型、軽量であることを特徴とする視認性に優れた表示デバイスである。ＰＤＰの放電方式としてはＡＣ型とＤＣ型とがあり、電極構造としては３電極面放電型と対向放電型とがある。しかし現在は、高精細化に適し、しかも製造の容易なことからＡＣ型かつ面放電型であるＡＣ型３電極ＰＤＰが主流となっている。
【０００３】
ＡＣ型３電極ＰＤＰは、一般に、対向配置された前面板と背面板との間に多数の放電セルを形成してなる。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向、密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としては、１フィールド期間を複数のサブフィールドに分割した上で、発光させるサブフィールドの組み合わせによって階調表示を行う、いわゆるサブフィールド法が一般的である。ここで、各サブフィールドは初期化期間、書込み期間および維持期間をもつ。
【０００５】
初期化期間では、すべての放電セルで一斉に初期化放電を行い、それ以前の個々の放電セルに対する壁電荷の履歴を消すとともに、つづく書込み動作のために必要な壁電荷を形成する。加えて、書込み放電を安定して発生させるためのプライミング（放電のための起爆剤＝励起粒子）を発生させるという働きをもつ。
【０００６】
書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。
【０００７】
つづく維持期間では、走査電極と維持電極との間に所定の回数の維持パルスを印加し、書込み放電による壁電荷形成を行った放電セルを選択的に放電させ発光させる。
【０００８】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電を起こり難くしていること等、書込み放電に関しては放電遅れを大きくする要因が多い。したがって、書込み放電を安定して発生させるためのプライミングが非常に重要となる。
【０００９】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足し放電遅れが大きくなり、書込み動作が不安定になって画像表示品質が低下するといった課題があった。あるいは、書込み動作を安定して行うために書込み時間を長く設定し、書込み期間に費やす時間が大きくなりすぎるといった課題があった。
【００１０】
これらの課題を解決するために、パネルに補助放電電極を設け補助放電によって生じたプライミングを用いて放電遅れを小さくするパネルとその駆動方法が提案されている（たとえば特許文献１）。
【特許文献１】特開２００２−２９７０９１号公報
【発明の開示】
【発明が解決しようとする課題】
【００１１】
これらプライミング電極を有するパネルおよびその駆動方法は、書込み放電における放電遅れを小さくし書込み動作を安定して行うためのものである。しかしながら、これらプライミング電極を有する放電セルを正確に駆動するためには、走査電極、維持電極、データ電極に対する壁電荷だけでなく、プライミング電極に対する壁電荷をも正確に制御しなければならない。特に、データ電極の初期化に関しては、元来、データ電極上に形成された蛍光体層が放電遅れを大きくするため不安定な放電になりやすいが、さらにプライミング電極の初期化放電と干渉して誤放電を発生しやすくなるという課題があった。
【００１２】
現在、ＰＤＰの高精細度化にともない放電セルが微細化する傾向にあるが、このとき各電極間の距離も短くなるため、上述した放電の相互干渉がさらに生じやすくなり、今後この課題が一層大きくなることが懸念される。
【００１３】
本発明は、上述した課題に鑑みなされたものであり、電極間の相互干渉のない安定した初期化放電が可能となるプラズマディスプレイパネルの駆動方法を提供することを目的とする。
【課題を解決するための手段】
【００１４】
本発明のプラズマディスプレイパネルの駆動方法は、データ電極が陰極となる初期化放電を発生させる前にプライミング電極と走査電極との間でプライミング電極が陰極となる初期化放電を発生させるための電圧をプライミング電極または走査電極のいずれかに印加したことを特徴とする。
【発明の効果】
【００１５】
以上のように本発明によれば、電極間の相互干渉のない安定した初期化放電が可能となるプラズマディスプレイパネルの駆動方法を提供することが可能となる。
【発明を実施するための最良の形態】
【００１６】
すなわち、請求項１に記載の発明は、１フィールド期間を初期化期間、書込み期間、維持期間を有する複数のサブフィールドで構成したプラズマディスプレイパネルの駆動方法であって、プラズマディスプレイパネルは、互いに平行に配置された複数の走査電極および複数の維持電極と、走査電極と交差する方向に配置された複数のデータ電極と、走査電極と平行であって対応する走査電極との間でプライミング放電を発生する複数のプライミング電極とを有し、データ電極が陰極となる初期化放電を発生させる初期化期間を有するサブフィールドにおいてデータ電極が陰極となる初期化放電を発生させる前に、プライミング電極と走査電極との間でプライミング電極が陰極となる初期化放電を発生させるための電圧をプライミング電極または走査電極のいずれかに印加したことを特徴とするプラズマディスプレイパネルの駆動方法である。
【００１７】
また、請求項２に記載の発明は、請求項１において、データ電極が陰極となる初期化放電を発生させる初期化期間を有するサブフィールドの初期化期間内に、プライミング電極が陰極となる初期化放電を発生させるための電圧を印加することを特徴とするプラズマディスプレイパネルの駆動方法である。
【００１８】
また、請求項３に記載の発明は、請求項１において、データ電極が陰極となる初期化放電を発生させる初期化期間を有するサブフィールドの１つ前のサブフィールドの維持期間内に、プライミング電極が陰極となる初期化放電を発生させるための電圧を印加することを特徴とするプラズマディスプレイパネルの駆動方法である。
【００１９】
（実施の形態）
以下、本発明の実施の形態におけるプラズマディスプレイパネルの駆動方法について、図面を用いて説明する。
【００２０】
図１は本発明の実施の形態に用いられるプラズマディスプレイパネルの一例を示す断面図であり、図２は同パネルの背面基板側の構造を模式的に示す斜視図である。
【００２１】
図１に示すように、ガラス製の前面基板１と背面基板２とが放電空間を挟んで対向配置され、放電空間には放電によって紫外線を放射するネオンおよびキセノンの混合ガスが封入されている。
【００２２】
前面基板１上には、走査電極６と維持電極７とが互いに平行に対をなして複数形成されている。このとき、維持電極７−走査電極６−走査電極６−維持電極７−・・・となるように２本ずつ交互に配列されている。走査電極６と維持電極７はそれぞれ透明電極６ａ、７ａと、透明電極６ａ、７ａ上に形成された金属母線６ｂ、７ｂとから構成されている。ここで、走査電極６−走査電極６間、および維持電極７−維持電極７間には黒色材料からなる光吸収層８が設けられている。そして、走査電極６のうち、一方の走査電極６の金属母線６ｂの突出部分６ｂ’は光吸収層８上にまで突出して形成されている。そして、これらの走査電極６、維持電極７および光吸収層８とを覆うように誘電体層４および保護層５が形成されている。
【００２３】
背面基板２上には、データ電極９が互いに平行に複数形成され、このデータ電極９を覆うように誘電体層１５が形成され、さらにその上に放電セル１１を区画するための隔壁１０が形成されている。隔壁１０は、図２に示すように、データ電極９と平行な方向に延びる縦壁部１０ａと、放電セル１１を形成しかつ放電セル１１の間に隙間部１３を形成する横壁部１０ｂとで構成されている。そして、隙間部１３のうち１つおきにプライミング電極１４がデータ電極９と直交する方向に形成され、プライミング空間１３ａを構成している。そして、隔壁１０により区画された放電セル１１に対応する誘電体層１５の表面と隔壁１０の側面とに蛍光体層１２が設けられている。ただし、隙間部１３側には蛍光体層１２は設けていない。
【００２４】
前面基板１と背面基板２を対向配置し封着する際、前面基板１上に形成された走査電極６の金属母線６ｂのうち光吸収層８上に突出した突出部分６ｂ’が背面基板２上に形成されたプライミング電極１４と平行にかつプライミング空間１３ａを挟んで対向するように位置合わせする。すなわち、図１、図２に示したパネルは、前面基板１側に形成された突出部分６ｂ’と、背面基板２側に形成されたプライミング電極１４との間でプライミング放電を行う構成となっている。
【００２５】
なお、図１、図２にはプライミング電極１４を覆うようにさらに誘電体層１６が形成されているが、この誘電体層１６は形成しなくてもよい。
【００２６】
図３は本発明の実施の形態に用いられるプラズマディスプレイパネルの電極配列図である。列方向にｍ列のデータ電極Ｄ1〜Ｄm（図１のデータ電極９）が配列され、行方向にｎ行の走査電極ＳＣ1〜ＳＣn（図１の走査電極６）とｎ行の維持電極ＳＵ1〜ＳＵn（図１の維持電極７）とが維持電極ＳＵ1−走査電極ＳＣ1−走査電極ＳＣ2−維持電極ＳＵ2−・・・となるように２本ずつ交互に配列されている。そして、本発明の実施の形態においては奇数行目の走査電極ＳＣ1、ＳＣ3、・・・の突出部分と対向するようにｎ／２行のプライミング電極ＰＲ1、ＰＲ3、・・・（図１のプライミング電極１４）が配列されている。
【００２７】
そして、１対の走査電極ＳＣi、維持電極ＳＵi（ｉ＝１〜ｎ）と１つのデータ電極Ｄj（ｊ＝１〜ｍ）とを含む放電セルＣi,j（図１の放電セル１１）が放電空間内にｍ×ｎ個形成され、走査電極ＳＣp（ｐ＝奇数）の突出部分とプライミング電極ＰＲpとを含むプライミング空間ＰＳp（図１のプライミング空間１３ａ）がｎ／２行形成されている。
【００２８】
次に、プラズマディスプレイパネルを駆動するための駆動波形とそのタイミングについて説明する。
【００２９】
図４は、本発明の実施の形態におけるプラズマディスプレイパネルの駆動方法の駆動波形図である。なお本発明の実施の形態においては、１フィールド期間が初期化期間、書込み期間、維持期間を有する複数のサブフィールドから構成され、初期化期間は画像表示にかかわる全放電セルを初期化動作させる全セル初期化期間を有するサブフィールドであるものとして説明する。初期化期間を便宜上３つに分けてプライミング部、前半部、後半部と呼ぶことにする。
【００３０】
初期化期間プライミング部では、データ電極Ｄ1〜Ｄmおよび維持電極ＳＵ1〜ＳＵnをそれぞれ０（Ｖ）に保持し、プライミング電極ＰＲ1〜ＰＲnには負の電圧Ｖｒを印加し、走査電極ＳＣ1〜ＳＣnにはプライミング電極ＰＲ1〜ＰＲnに対して放電開始電圧を超えるが維持電極ＳＵ1〜ＳＵnおよびデータ電極Ｄ1〜Ｄmに対して放電開始電圧以下の電圧Ｖi1を印加する。このとき、走査電極ＳＣ1〜ＳＣnとプライミング電極ＰＲ1〜ＰＲnとの間で強い初期化放電が起こり、各放電セルＣi,j内部にプライミングを拡散させるとともに、プライミング電極ＰＲ1〜ＰＲn上部には正の壁電圧が蓄積される。ここで、電極上部の壁電圧とは電極を覆う誘電体層上に蓄積された壁電荷により生じる電圧をあらわす。
【００３１】
初期化期間前半部では、データ電極Ｄ1〜Ｄm、維持電極ＳＵ1〜ＳＵnおよびプライミング電極ＰＲ1〜ＰＲnをそれぞれ０（Ｖ）に保持し、走査電極ＳＣ1〜ＳＣnには電圧Ｖi1から、維持電極ＳＵ1〜ＳＵnおよびデータ電極Ｄ1〜Ｄmに対して放電開始電圧を超える電圧Ｖi2に向かって緩やかに上昇する傾斜波形電圧を印加する。この傾斜波形電圧が上昇する間に、走査電極ＳＣ1〜ＳＣnと維持電極ＳＵ1〜ＳＵn、走査電極ＳＣ1〜ＳＣnとデータ電極Ｄ1〜Ｄmとの間でそれぞれ微弱な１回目の初期化放電が起こる。このときの放電はプライミング電極ＰＲ1〜ＰＲnから十分なプライミングがすでに供給された状態で発生するために誤放電のない安定した放電となる。そして、走査電極ＳＣ1〜ＳＣn上部に負の壁電圧が蓄積されるとともに、データ電極Ｄ1〜Ｄm上部および維持電極ＳＵ1〜ＳＵn上部には正の壁電圧が蓄積される。
【００３２】
初期化期間後半部では、維持電極ＳＵ1〜ＳＵnを正電圧Ｖｅに保ち、走査電極ＳＣ1〜ＳＣnには、維持電極ＳＵ1〜ＳＵnに対して放電開始電圧以下となる電圧Ｖi3から放電開始電圧を超える電圧Ｖi4に向かって緩やかに下降する傾斜波形電圧を印加する。この間に、走査電極ＳＣ1〜ＳＣnと維持電極ＳＵ1〜ＳＵn、走査電極ＳＣ1〜ＳＣnとデータ電極Ｄ1〜Ｄm、走査電極ＳＣ1〜ＳＣnとプライミング電極ＰＲ1〜ＰＲnとの間でそれぞれ微弱な２回目の初期化放電が起こる。そして、走査電極ＳＣ1〜ＳＣn上部の負の壁電圧および維持電極ＳＵ1〜ＳＵn上部の正の壁電圧が弱められ、データ電極Ｄ1〜Ｄm上部の正の壁電圧は書込み動作に適した値に調整され、プライミング電極ＰＲ1〜ＰＲn上部の正の壁電圧もプライミング動作に適した値に調整される。以上により画像表示にかかわる全放電セルを初期化放電させる全セル初期化動作が終了する。
【００３３】
書込み期間では、走査電極ＳＣ1〜ＳＣnを一旦Ｖｃに保持する。そして、プライミング電極ＰＲ1〜ＰＲnに（Ｖｃ−Ｖi4）とほぼ等しい電圧Ｖｑを印加する。
【００３４】
次に、１行目の走査電極ＳＣ1に走査パルス電圧Ｖａを印加する。すると、プライミング電極ＰＲ1上部と走査電極ＳＣ1の突出部分の上部との間の電圧差は、（Ｖｑ−Ｖａ）にプライミング電極ＰＲ1上部の壁電圧が加算されたものとなり、放電開始電圧を超えプライミング放電が発生する。そして、１行目の放電セルＣ1,1〜Ｃ1,mおよび２行目の放電セルＣ2,1〜Ｃ2,m内部にプライミングを拡散させる。このときの放電は上述したようにプライミング空間ＰＳ1が放電しやすい構造であるため放電遅れが小さく高速で安定したプライミング放電が得られる。また、この放電によってプライミング電極ＰＲ1上部に負の壁電圧が蓄積される。
【００３５】
このとき同時に、データ電極Ｄ1〜Ｄmのうち１行目に表示すべき画像信号に対応するデータ電極Ｄk（ｋは１〜ｍの整数をあらわす）に正の書込みパルス電圧Ｖｄを印加する。すると、書込みパルス電圧Ｖｄを印加したデータ電極Ｄkと走査電極ＳＣ1との交差部で放電が発生し、対応する放電セルＣ1,kの維持電極ＳＵ1と走査電極ＳＣ1との間の放電に進展する。そして、放電セルＣ1,kの走査電極ＳＣ1上部に正電圧が蓄積され、維持電極ＳＵ1上部に負電圧が蓄積され、１行目の書込み動作が終了する。
【００３６】
ここで、１行目の書込み動作は、走査電極ＳＣ1の走査にともなってプライミング放電を発生させるとともに書込みを行う。そして、放電セルＣ1,kの書込み放電は、走査電極ＳＣ1とプライミング電極ＰＲ1との間で発生したプライミング放電からプライミングが供給されつつ発生するので放電遅れが小さく安定した放電となる。
【００３７】
次に、２行目の走査電極ＳＣ2に走査パルス電圧Ｖａを印加する。このとき同時に、データ電極Ｄ1〜Ｄmのうち２行目に表示すべき画像信号に対応するデータ電極Ｄkに正の書込みパルス電圧Ｖｄを印加する。すると、データ電極Ｄkと走査電極ＳＣ2との交差部で放電が発生し、対応する放電セルＣ2,kの維持電極ＳＵ2と走査電極ＳＣ2との間の放電に進展する。そして、放電セルＣ2,kの走査電極ＳＣ2上部に正電圧が蓄積され、維持電極ＳＵ2上部に負電圧が蓄積され、２行目の書込み動作が終了する。
【００３８】
ここで、２行目の放電セルＣ2,kの書込み動作は、走査電極ＳＣ1とプライミング電極ＰＲ1との間で発生したプライミング放電から十分なプライミングがすでに供給された状態で発生する。したがって、書込み放電の放電遅れは小さく、安定した放電となる。
【００３９】
以下同様の書込み動作をｎ行目の放電セルＣn,kに至るまで行い、書込み動作が終了する。
【００４０】
維持期間においては、走査電極ＳＣ1〜ＳＣn、プライミング電極ＰＲ1〜ＰＲnおよび維持電極ＳＵ1〜ＳＵnを０（Ｖ）に一旦戻す。その後、走査電極ＳＣ1〜ＳＣnに正の維持パルス電圧Ｖｓを印加する。このとき、書込み放電を起こした放電セルＣi,jにおける走査電極ＳＣi上部と維持電極ＳＵi上部との間の電圧は、維持パルス電圧Ｖｓに加えて、書込み期間において走査電極ＳＣi上部および維持電極ＳＵi上部に蓄積された壁電圧が加算されるので放電開始電圧を超え維持放電が発生する。以降同様に、走査電極ＳＣ1〜ＳＣnと維持電極ＳＵ1〜ＳＵnとに維持パルスを交互に印加することにより、書込み放電を起こした放電セルＣi,jに対して維持パルスの回数だけ維持放電が継続して行われる。
【００４１】
上述のように本発明のプラズマディスプレイパネルの駆動方法における書込み放電は、従来の駆動方法における初期化放電のプライミングのみに依存した書込み放電とは異なり、各放電セルの書込み動作と同時あるいは直前に発生させたプライミング放電から十分なプライミングが供給された状態で行うものである。したがって、放電遅れが小さく、高速かつ安定した書込み放電を実現でき、品質の高い画像を表示することができる。
【００４２】
加えて、プライミング電極が陰極となる初期化放電の発生するタイミングとデータ電極が陰極となる初期化放電の発生するタイミングとが分離されているため、それぞれの放電の相互干渉が生じ難く、安定した初期化放電が可能となる。
【００４３】
ここで、初期化放電が安定する理由を説明するために、プライミング電極に注目して、再度、上述の動作について説明する。
【００４４】
まず、初期化期間プライミング部では、走査電極ＳＣ1〜ＳＣnとプライミング電極ＰＲ1〜ＰＲnとの間で強い放電が発生し、各放電セルＣi,j内部にプライミングを拡散させる。このとき、走査電極ＳＣ1〜ＳＣnと維持電極ＳＵ1〜ＳＵn、走査電極ＳＣ1〜ＳＣnとデータ電極Ｄ1〜Ｄmとの間では放電は発生しない。
【００４５】
つづく初期化期間前半部では、走査電極ＳＣ1〜ＳＣnに印加される傾斜波形電圧によって、走査電極ＳＣ1〜ＳＣnと維持電極ＳＵ1〜ＳＵn、走査電極ＳＣ1〜ＳＣnとデータ電極Ｄ1〜Ｄmとの間で微弱な放電が発生する。このときの放電はデータ電極Ｄ1〜Ｄm側、すなわち蛍光体層側が陰極となり、蛍光体の２次電子放出係数が小さいためプライミングが不足すると放電遅れが大きくなる傾向がある。そして放電遅れが大きすぎると、走査電極ＳＣ1〜ＳＣnに印加された上り傾斜波形電圧が放電開始電圧を超えても放電が発生せず、放電開始電圧を大きく超えた時点で初めて放電が発生する。このときの放電は微弱な放電とはならず大きな電荷移動をともなう強い放電となってしまい、つづく書込み期間あるいは維持期間において誤放電を発生することになる。また、放電開始電圧を超えても放電が発生していない状態は非常に不安定であり、近隣セルや他の電極間の放電等による制御不可能な僅かなプライミングの飛来によって干渉を受け、強放電を誘発する場合がある。
【００４６】
しかしながら、本発明の実施の形態の駆動方法によれば、初期化期間プライミング部において走査電極ＳＣ1〜ＳＣnとプライミング電極ＰＲ1〜ＰＲnとの間の初期化放電にともなうプライミングが各放電セルＣi,jにすでに供給されているので、初期化期間前半部における走査電極ＳＣ1〜ＳＣnとデータ電極Ｄ1〜Ｄmとの間の放電は放電遅れの小さな安定した放電となり、必要な壁電荷を安定して形成することができる。加えて、走査電極ＳＣ1〜ＳＣnとプライミング電極ＰＲ1〜ＰＲnとの間の放電はすでに終了しているため、この２つの放電が干渉することはない。
【００４７】
このように、一般に放電遅れが大きく、放電が不安定になりがちなデータ電極Ｄ1〜Ｄmの初期化放電、特に蛍光体層側が陰極となる初期化放電に先行してプライミング電極ＰＲ1〜ＰＲnによる強い初期化放電を発生させることにより、走査電極ＳＣ1〜ＳＣnとデータ電極Ｄ1〜Ｄmとの間に十分なプライミングを供給することができ、データ電極Ｄ1〜Ｄmの初期化期間放電の放電遅れを小さくし放電を安定化させることができる。そのため、つづく初期化期間後半部における壁電荷の調整も安定し、安定した書込み動作、維持動作につながり、誤放電のない良好な画像表示が可能となる。
【００４８】
図５に、本発明の実施の形態におけるプラズマディスプレイパネルの駆動方法の他の駆動波形図を示す。波形Ａは、プライミング電極ＰＲ1〜ＰＲnが陰極となる初期化放電を発生させるための電圧が、データ電極Ｄ1〜Ｄmが陰極となる初期化放電を発生させる初期化期間を有するサブフィールドの１つ前のサブフィールドの維持パルスの最後のタイミングでプライミング電極ＰＲ1〜ＰＲnに印加される波形である。また、波形Ｂは、プライミング電極ＰＲ1〜ＰＲnが陰極となる初期化放電を発生させるための電圧が、データ電極Ｄ1〜Ｄmが陰極となる初期化放電を発生させる初期化期間を有するサブフィールドの１つ前のサブフィールドの維持パルスの後ろの数パルスを含むタイミングでプライミング電極ＰＲ1〜ＰＲnに印加される波形である。ただし、いずれの波形も、プライミング電極ＰＲ1〜ＰＲnが陰極となる初期化放電が発生してからデータ電極Ｄ1〜Ｄmが陰極となる初期化放電が発生するまでの時間間隔が５０μｓ以内となるように設定されている。
【００４９】
このように、プライミング電極ＰＲ1〜ＰＲnが陰極となる初期化放電が発生してからデータ電極Ｄ1〜Ｄmが陰極となる初期化放電が発生するまでの時間間隔が５０μｓ以内であれば本発明の実施の形態における駆動方法と同様の効果を得ることができ、データ電極Ｄ1〜Ｄmの初期化が安定して行われることを発明者らは実験的に確かめた。
【００５０】
なお、ＡＣ型ＰＤＰの各電極は誘電体層に囲まれており放電空間と絶縁されているため、直流成分は放電そのものには何ら寄与しない。したがって、実施の形態で説明した駆動波形に直流成分を加えた波形を用いても同様の効果が得られることはいうまでもない。
【００５１】
また、本発明の実施の形態においては、１フィールド期間が初期化期間、書込み期間、維持期間を有する複数のサブフィールドから構成され、初期化期間は画像表示にかかわる全放電セルを初期化動作させる全セル初期化期間を有するサブフィールドであるものとして説明したが、本発明は、全セル初期化期間を有するサブフィールド以外に、維持放電を行った放電セルを選択的に初期化する選択初期化期間をもつサブフィールドを任意に組み合わせた構成であっても同様に適用することができる。
【００５２】
図６は、本発明の実施の形態におけるプラズマディスプレイパネルの駆動方法を用いた駆動装置の回路構成の一例を示すブロック図である。本発明の実施の形態における駆動装置１００は、画像信号処理回路１０１、データ電極駆動回路１０２、タイミング制御回路１０３、走査電極駆動回路１０４、維持電極駆動回路１０５およびプライミング電極駆動回路１０６を有している。画像信号および同期信号は、画像信号処理回路１０１に入力される。画像信号処理回路１０１は、画像信号および同期信号に基づいて、各サブフィールドを点灯するか否かを制御するサブフィールド信号をデータ電極駆動回路１０２に出力する。また、同期信号はタイミング制御回路１０３にも入力される。タイミング制御回路１０３は同期信号に基づいて、データ電極駆動回路１０２、走査電極駆動回路１０４、維持電極駆動回路１０５、プライミング電極駆動回路１０６にタイミング制御信号を出力する。
【００５３】
データ電極駆動回路１０２は、サブフィールド信号およびタイミング制御信号に応じて、パネルのデータ電極９（図３のデータ電極Ｄ1〜Ｄm）に図４または図５に示した所定の駆動波形を印加する。走査電極駆動回路１０４はタイミング制御信号に応じてパネルの走査電極６（図３の走査電極ＳＣ1〜ＳＣn）に所定の駆動波形を印加し、維持電極駆動回路１０５はタイミング制御信号に応じてパネルの維持電極７（図３の維持電極ＳＵ1〜ＳＵn）に所定の駆動波形を印加する。プライミング電極駆動回路１０６はタイミング制御信号に応じてパネルのプライミング電極１４（図３のプライミング電極ＰＲ1〜ＰＲn）に所定の駆動波形を印加する。データ電極駆動回路１０２、走査電極駆動回路１０４、維持電極駆動回路１０５、プライミング電極駆動回路１０６には電源回路（図示せず）から必要な電力が供給されている。
【００５４】
以上の回路ブロックを備えることによって本発明の実施の形態におけるパネルの駆動方法を用いた駆動装置を構成することができる。
【産業上の利用可能性】
【００５５】
大画面で高精細、高画質のプラズマディスプレイパネルの製造技術として利用可能である。
【図面の簡単な説明】
【００５６】
【図１】本発明の実施の形態に用いられるプラズマディスプレイパネルの一例を示す断面図
【図２】本発明の実施の形態に用いられるプラズマディスプレイパネルの背面基板側の構造を模式的に示す斜視図
【図３】本発明の実施の形態に用いられるプラズマディスプレイパネルの電極配列図
【図４】本発明の実施の形態におけるプラズマディスプレイパネルの駆動方法の駆動波形図
【図５】本発明の実施の形態におけるプラズマディスプレイパネルの駆動方法の他の駆動波形図
【図６】本発明の実施の形態におけるプラズマディスプレイパネルの駆動方法を用いた駆動装置の回路構成の一例を示すブロック図
【符号の説明】
【００５７】
１    前面基板
２    背面基板
６    走査電極
７    維持電極
８    光吸収層
９    データ電極
１０    隔壁
１０ａ    縦壁部
１０ｂ    横壁部
１１    放電セル
１２    蛍光体層
１３    隙間部
１３ａ    プライミング空間
１４    プライミング電極
１００    駆動装置
１０１    画像信号処理回路
１０２    データ電極駆動回路
１０３    タイミング制御回路
１０４    走査電極駆動回路
１０５    維持電極駆動回路
１０６    プライミング電極駆動回路
【図１】
2005037820.tif 000003
【図２】
2005037820.tif 000004
【図３】
2005037820.tif 000005
【図４】
2005037820.tif 000006
【図５】
2005037820.tif 000007
【図６】
2005037820.tif 000008